(57)【特許請求の範囲】
【請求項１】
水処理槽に設けられた段付凹入状の蓋受け部に載架されて水処理槽の開口を覆う覆蓋本体の端部に設けられた凹入部に、板片状のレバー体でなる把手部材の中間部が横軸回りに起倒可能に取り付けられ、この把手部材の先端部に把手部とフック部とを有する覆蓋開閉用治具の上記フック部を係止するための孔部が開設された引上げ部が設けられていると共に、この把手部材の基端部に可動係合体の基部がピンによって相対揺動自在に連結され、この可動係合体が上記凹入部の底板上で摺動自在に支持されていると共に、上記把手部材の倒伏動作に連動して可動係合体が上記蓋受け部の立上がり面に内向きに突出された固定係合体の下部空間に対して突出し、上記把手部材の起立動作に連動して可動係合体が上記固定係合体の下部空間から後退するように構成されていることを特徴とする水処理槽覆蓋のロック装置。
【請求項２】
覆蓋本体の端部の凹入部が、覆蓋本体の端部に取り付けられた中空ユニットの内部空間によって形成されており、覆蓋本体の上面側に配備された上記中空ユニットのカバー部に、把手部材の引上げ部を上記凹入部の外部に突き出させる開口が開設されていると共に、その開口に隣接して、把手部材が横軸回りに倒伏したときにその把手部材の引上げ部を収容可能でかつ手の指が入りにくい大きさの凹所が形成されている請求項１に記載の水処理槽覆蓋のロック装置。
【発明の詳細な説明】
【０００１】
【発明の属する技術分野】
本発明は、浄化槽などの水処理槽の開口に着脱される水処理槽覆蓋をロックする装置に関する。
【０００２】
【従来の技術】
覆蓋は、浄化槽や下水処理場などの水処理層においてその開口を覆うことに用いられる。これらの水処理槽においては、清掃や点検時に覆蓋を取り除いた開口を通して作業者が出入りする。また、一般的に１つの開口には複数の覆蓋が並べて配備されるようになっており、そのような水処理槽では一部の覆蓋だけを取り除いて内部の清掃や点検を行うこともある。
【０００３】
図７および図８に従来のロック装置を備えた覆蓋Ａとその覆蓋Ａで開口を覆った水処理槽Ｐを示してある。
【０００４】
水処理槽Ｐは矩形の開口１００の周縁部に段付凹入状の蓋受け部１１０を備えており、その蓋受け部１１０に覆蓋Ａが載架されるようになっている。覆蓋Ａにはその開閉時に利用される把手ユニット２１０が設けられている。
【０００５】
ロック装置は、矩形の覆蓋本体２０１の一端部に貫通状に配備された操作軸２０２と、この操作軸２０２の下端部に固着された可動係合片２０３と、水処理層Ｐにおける一側と他側の側壁のそれぞれ上端部で内向きに突出された固定係合片２０４，２０５と、覆蓋本体２０１の他端部の裏面側に取り付けられた係合片２０６とを基本的要素として備えている。そして、従来のロック装置においては、可動係合片２０３や係合片２０６、固定係合片２０４，２０５などが水処理槽Ｐ内に突き出ている。
【０００６】
このロック装置にあっては、操作軸２０２を工具（不図示）で回転させると、可動係合片２０３が操作軸２０２と共に回転する。そして、覆蓋Ａを蓋受け部１１０に載架したときに図示のように係合片２０６が固定係合片２０５に下側で重なり、可動係合片２０３が固定係合片２０４に下側で重なっていると、覆蓋Ａを持ち上げて取り除こうとしても、可動係合片２０３が固定係合片２０４に係合し、係合片２０６が固定係合片２０５に係合するので、覆蓋Ａを取り除くことができない。ロック状態である。
【０００７】
このロック状態から、操作軸２０２を回転させて図１０の矢符ａのように可動係合片２０３を回転させて固定係合片２０４に重ならない非係合位置にするとロック解除状態になり、覆蓋Ａの一端部を持ち上げてその覆蓋Ａを取り除くことができるようになる。そして、ロック解除状態として覆蓋Ａを蓋受け部１１０に載架させた後、操作軸２０２を回転させて図２の矢符ｂのように可動係合片２０３を回転させて固定係合片２０４に下側で重ねるとロック状態になる。
【０００８】
【発明が解決しようとする課題】
ところで、水処理槽Ｐを清掃したり点検したりするときに、覆蓋Ａを取り除いた開口１００を利用して作業者が水処理槽Ｐに出入りする場合、上記のように水処理槽Ｐの側壁に固定係合片２０４，２０５が出っ張っていると危険である。また、水処理槽Ｐの１つの開口１００に複数の覆蓋Ａ…が横に並べて載架されているような場合において、所定の覆蓋を取り除いて開いた箇所から作業者が出入りするような場合には、水処理槽Ｐの側壁に出っ張っている固定係合片２０４，２０５のみならず、残った覆蓋Ａ…から開口１００内に出っ張っている可動係合片２０３や係合片２０６も危険である。
【０００９】
他方、従来の覆蓋Ａでは、ロック装置と別に把手ユニット２１０が設けられているので、覆蓋Ａを製作するときに覆蓋本体２０１に把手ユニット２１０とロック装置とを別々に取り付ける必要があり、そのことが製作工数の増加や部品点数の増加を招いて価格が高くなるという問題があった。
【００１０】
本発明は以上の事情の下でなされたものであり、作業者が出入りする水処理槽の開口内への突出物を無くして作業者の出入りの安全性を確保することのできる水処理槽覆蓋のロック装置を提供することを目的とする。
【００１１】
また、本発明は、覆蓋を開閉するときに使われる把手部材をロック装置の構成部材として兼用させることにより、覆蓋の製作工数や部品点数を削減して覆蓋の価格の低減を図ることを目的とする。
【００１２】
【課題を解決するための手段】
本発明に係る水処理槽覆蓋のロック装置は、水処理槽に設けられた段付凹入状の蓋受け部に載架されて水処理槽の開口を覆う覆蓋本体の端部に設けられた凹入部に、板片状のレバー体でなる把手部材の中間部が横軸回りに起倒可能に取り付けられ、この把手部材の先端部に把手部とフック部とを有する覆蓋開閉用治具の上記フック部を係止するための孔部が開設された引上げ部が設けられていると共に、この把手部材の基端部に可動係合体の基部がピンによって相対揺動自在に連結され、この可動係合体が上記凹入部の底板上で摺動自在に支持されていると共に、上記把手部材の倒伏動作に連動して可動係合体が上記蓋受け部の立上がり面に内向きに突出された固定係合体の下部空間に対して突出し、上記把手部材の起立動作に連動して可動係合体が上記固定係合体の下部空間から後退するように構成されている、というものである。
【００１３】
この構成であると、先端部に把手部とフック部とを有する覆蓋開閉用治具の上記フック部を係止するための孔部が開設された引上げ部が設けられた板片状のレバー体でなる把手部材がロック装置の構成部材として兼用され、しかも、覆蓋を開くときや覆蓋を閉じるときの把手部材の起立動作に連動して基部がピンによって相対揺動自在に連結された可動係合体が後退してロック解除される。また、覆蓋本体を水処理槽の蓋受け部に載架させた後、把手部材を倒伏しているか起立しているかを見定めるだけで、その覆蓋がロックされているかロックされていないかを見分けることができる。
【００１４】
本発明においては、覆蓋本体の端部の凹入部が、覆蓋本体の端部に取り付けられた中空ユニットの内部空間によって形成されており、覆蓋本体の上面側に配備された上記中空ユニットのカバー部に、把手部材の引上げ部を上記凹入部の外部に突き出させる開口が開設されていると共に、その開口に隣接して、把手部材が横軸回りに倒伏したときにその把手部材の引上げ部を収容可能でかつ手の指が入りにくい大きさの凹所が形成されている、という構成を採用することが望ましい。
【００１５】
このように構成されていると、手の指で把手部材を起立させる操作を行いにくくなるので、子供の悪戯などで不慮に把手部材が起立してしまってロック解除されることがなくなる。そのため、覆蓋が不慮に開かれ、その開いた箇所から子供が水処理槽の中に落ちるといった事故が未然に防止される。
【００１６】
【発明の実施の形態】
図１は本発明に係るロック装置を取り付けた覆蓋Ａとその覆蓋Ａで開口１００を覆った水処理槽Ｐを示す一部省略縦断正面図、図２は上記覆蓋Ａを開閉するときの状態を示す一部省略縦断正面図、図３は要部の縦断正面図、図４は要部の平面図、図５は図４のＶ−Ｖ線に沿う断面図、図６は覆蓋開閉用治具の斜視図である。
【００１７】
水処理槽Ｐにおいて、矩形の開口１００の周縁部にＬ形鋼材を埋設することによって段付凹入状の蓋受け部１１０が設けられている。この蓋受け部１１０の一側の立上り面１１１に内向きに固定係合体１が突出されており、同様に、蓋受け部１１０の他側の立上り面１１１に内向きに固定係合体１が突出されている。これらの固定係合体１，１は立上り面１１１，１１１から少し突設された棒材によって形成されており、その全体が蓋受け部１１０により形成される蓋受け空間に納まっている。すなわち、固定係合体１，１は、水処理槽Ｐの開口１００に出っ張っていない。
【００１８】
覆蓋Ａにおいて、パネル状の覆蓋本体３はＦＲＰや発泡合成樹脂板の上下（表裏）両面に表面材３１を積層一体化することにより形成されており、その一端部の適所と他端部の適所とに発錆しにくい金属であるステンレスで作られた中空ユニット４，４が面一にビス４１…で取り付けられている。このため、覆蓋本体３の一端部と他端部とには中空ユニット４の内部空間によって凹入部５，５が形成されている。これらの凹入部５，５は、覆蓋本体３の一端面側や他端面側で開口しており、覆蓋本体３の下面側には盗み凹所５１，５１が形成されている。
【００１９】
図３および図４で判るように、中空ユニット４は、そのカバー部４６の中央部に開口４２が形成されていると共に、その開口４２に隣接して、平面視円形の小さな凹所４３が形成されている。そして、上記開口４２を挾む両側の壁部４４，４４を貫通して設けられた横軸６に、弓形をなす板片状のレバー体でなる把手部材７の中間部が取り付けられており、この把手部材７が横軸６の軸線を中心として図３に実線で示す倒伏状態と同図に仮想線で示す起立状態との間で起倒可能になっている。すなわち、把手部材７は、その基部が凹入部５に配備されている一方で、その引上げ部７１が中空ユニット４の開口４２を通して凹入部５の外部に突き出ており、把手部材７が倒伏されたときには、その引上げ部７１が上記凹所４３に完全に収容されるようになっている。そして、凹所４３が手の指の入りにくい大きさになっている。
【００２０】
上記把手部材７は、その先端部に設けられた引上げ部７１に孔部７２が開設されていると共に、その基端部７３に可動係合体８の基部がピン８１によって相対揺動自在に連結されている。可動係合体８は、合成樹脂成形体で幅広の板片状に形成したり、金属で幅広の板片状に形成したりすることが可能である。この可動係合体８は、、中空ユニット４の底板、すなわち上記凹入部５の底板４５上で摺動自在に支持されている。そして、上記把手部材７の倒伏動作に連動して可動係合体８が図３の矢符ａ方向に突出し、また、把手部材７の起立動作に連動して可動係合体８が図３の矢符ｂ方向に後退するようになっている。したがって、覆蓋Ａが蓋受け部１１０に載架されているときに把手部材７が倒伏されると、それに連動して可動係合体８が図３の矢符ａ方向に突出して固定係合体１の下部空間Ｓ１に突入し、また、把手部材７が起立すると、それに連動して可動係合体８が図３の矢符ｂ方向に後退して固定係合体１の下部空間Ｓ１から後退する。
【００２１】
図６は覆蓋開閉用治具９を示している。この治具９は、長い軸部９３の一端部に把手部９１を有し、他端部にフック部９２を有している。そして、この治具９のフック部９２は、図５のように上記凹所４３に収容された把手部材７の引上げ部７１の孔部７２に差し込んで引っ掛けることができるものである。
【００２２】
上記した把手部材７や可動係合体８などは、覆蓋本体３の一端部と他端部とにそれぞれ取り付けられた中空ユニット４，４に対称に配備されている。
【００２３】
次に作用を説明する。
【００２４】
覆蓋Ａを蓋受け部１１０に載架して水処理槽Ｐの開口１００を覆わせるときには、覆蓋本体３の左右の各把手部材７，７の孔部７２、７２に、たとえば１人の作業者が両手に持った各別の治具９，９のフック部９２，９２を引っ掛けて引き上げると、左右の把手部材７，７が覆蓋本体３などの重さの影響で起立するので、左右の可動係合体８，８が共に後退する。したがって、図２に矢符Ｘで示したように覆蓋Ａを蓋受け部１１０，１１０に載架すると、同図のように固定係合体１，１が盗み凹所５１，５１を通して凹入部５に嵌合されると共に、左右の可動係合体８，８が固定係合体１，１の下部空間Ｓ１に臨む。
【００２５】
こうして覆蓋Ａを蓋受け部１１０，１１０に載架した後、治具９，９のフック部９２，９２を把手部材７，７の孔部７２，７２から外し、それらの把手部材７，７を倒伏させると、それに連動して可動係合体８，８が図３の矢符ａ方向に突出して固定係合体１の下部空間Ｓ１に突入する。この状態で覆蓋Ａを持ち上げようとしても、可動係合体８，８が固定係合体１，１に係合して蓋体Ａは持ち上がらない。ロック状態である。
【００２６】
このロック状態から、左右の把手部材７，７の孔部７２、７２に各別の治具９，９のフック部９２，９２を引っ掛けて引き上げると、左右の把手部材７，７が覆蓋本体３などの重さの影響で起立するので、左右の可動係合体８，８が共に固定係合体１，１の下部空間Ｓ１から図３野矢符ｂのように後退してロック解除される。したがって、図２の矢符Ｙのように覆蓋Ａを持ち上げて開くことができる。
【００２７】
この実施例では、把手部材７が倒伏されたときにその引上げ部７１が手の指の入りにくい大きさの凹所４３に収容されるようになっているので、手の大きな大人は勿論、手の小さな子供といえどもが把手部材７を起立させることが困難である。したがって、子供が誤ってロック解除して覆蓋Ａを開くといった事態が起こらず、覆蓋Ａを開いた箇所から子供が水処理槽Ｐの中に落ちるといった事故が未然に防止される。
【００２８】
また、把手部材７が起立しているか倒伏されているかを見定めるだけでロックされているかロックされていないかを容易に見分けることができる。
【００２９】
この実施形態のロック装置において、その構成要素である把手部材７や可動係合片体８覆蓋本体３の凹入部５に収容されており、固定係合体１は水処理槽Ｐに設けられた段付凹入状の蓋受け部１１０の立上り面１１１で内向きに突出されているので、水処理層Ｐの開口１００内に出っ張る部材はない。そのため、清掃や点検などのために作業者が開口１００を出入りしても、開口１００内に出っ張った部材が作業者に当たって怪我をするといった余地はまったくない。
【００３０】
さらに、この実施形態のロック装置では、固定係合体１に棒材を用いている一方で、可動係合体８に幅広の板片を用いているので、蓋受け部１１０での覆蓋Ａの位置が前後に多少ずれても、固定係合体１と可動係合体８とが適切に上下方向で対向する。したがって、覆蓋Ａが多少位置ずれしていても確実にロックすることが可能である。
【００３１】
【発明の効果】
本発明に係る水処理槽覆蓋のロック装置によれば、把手部材がロック装置の構成部材として兼用されているので、ロック装置と把手とを覆蓋本体に別々に取り付ける必要がなくなる。そのため、覆蓋の部品点数や製作工数が削減されて価格を低減できるようになる。また、把手部材が倒伏しているか起立しているかを見定めるだけで、その覆蓋がロックされているかロックされていないかを見分けることができる利便がある。
【００３２】
本発明において、板片状のレバー体でなる把手部材の引上げ部に覆蓋開閉用治具のフック部を係止するための孔部を開設したり、覆蓋本体の端部に取り付けた中空ユニットのカバー部に把手部材の引上げ部を収容可能でかつ手の指が入りにくい大きさの凹所を形成したりしておくと、子供の悪戯などで不慮にロック解除されることがなくなるので、覆蓋が不慮に開かれて子供が水処理槽の中に落ちるといった事故が未然に防止されて安全性が向上する。
【図面の簡単な説明】
【図１】本発明に係るロック装置を取り付けた覆蓋とその覆蓋で開口を覆った水処理槽を示す一部省略縦断正面図である。
【図２】覆蓋を開閉するときの状態を示す一部省略縦断正面図である。
【図３】要部の縦断正面図である。
【図４】要部の平面図である。
【図５】図４のＶ−Ｖ線に沿う断面図である。
【図６】覆蓋開閉用治具の斜視図である。
【図７】従来のロック装置と把手ユニットとを備えた覆蓋と水処理槽を示す一部省略垂直断面図である。
【図８】従来のロック装置の要部を示す平面図である。
【符号の説明】
Ａ  覆蓋
Ｐ  水処理槽
１  固定係合体
３  覆蓋本体
４  中空ユニット
５  凹入部
６  横軸
７  把手部材
８  可動係合体
９  覆蓋開閉用治具
４２  開口
４３  凹所
４５  底板
４６  カバー部
７１  引上げ部
７２  孔部
９１  把手部
９２  フック部
１００  開口
１１０  蓋受け部
１１１  立上り面
Ｓ１  下部空間
【図１】
0003750070.tif 000002
【図２】
0003750070.tif 000003
【図３】
0003750070.tif 000004
【図４】
0003750070.tif 000005
【図５】
0003750070.tif 000006
【図６】
0003750070.tif 000007
【図７】
0003750070.tif 000008
【図８】
0003750070.tif 000009